(57)【要約】【課題】トイレルーム壁面の多様なデザイン性を確保しながらも、使用者等が操作信号を遮ることがないように設置でき、しかもトイレ自体のデザイン性も良好に確保することのできるトイレ用リモコン装置を提供する。【解決手段】便器５０に設置してある便器側機器３に対して操作信号を発信するリモコン操作器と、該リモコン操作器が発信する操作信号を受信するために便器５０側に設置してある受信器２とを具備したトイレ用リモコン装置とする。上記便器５０は、ボウル部５１とこれを囲むスカート部５２とを有する。上記受信器２は、便器５０が有するスカート部５２の正面５２ａおよび両側面５２ｂに露出するように配置した入光面７と、該入光面７に入光した操作信号を受光素子にまで導くように配置した導光路とを備える。【選択図】図１
2011030109.tif 000002
【特許請求の範囲】
【請求項１】
便器に設置してある便器側機器に対して操作信号を発信するリモコン操作器と、該リモコン操作器が発信する操作信号を受信するために便器側に設置してある受信器とを具備するトイレ用リモコン装置において、上記便器は、ボウル部とこれを囲むスカート部とを有するものであり、上記受信器は、便器が有するスカート部の正面および両側面に露出するように配置した入光面と、該入光面に入光した操作信号を受光素子にまで導くように配置した導光路とを備えることを特徴とするトイレ用リモコン装置。
【請求項２】
トイレルーム内に取付固定される上記リモコン操作器には、所定方向にむけて操作信号を発信する発信部を回動自在に設けていることを特徴とする請求項１に記載のトイレ用リモコン装置。
【発明の詳細な説明】
【技術分野】
【０００１】
本発明は、トイレ用リモコン装置に関する。
【背景技術】
【０００２】
トイレルーム内においては、便器に設置してある局部洗浄装置等の便器側機器を遠隔操作するために、トイレ用リモコン装置が用いられる。トイレ用リモコン装置は、使用者が操作することで操作信号を発信させるリモコン操作器と、このリモコン操作器から発する操作信号を受信するために便器側に設置した受信器とから成る。
【０００３】
ところで、従来のトイレ用リモコン装置においては、トイレルームの多様なデザイン性を確保することと、使用者が信号受信の邪魔になることがないようにして受信性能を確保することが、両立困難であった。
【０００４】
というのも、従来のトイレ用リモコン装置では、操作信号が使用者や便器側機器等に遮られることなく受信器にまで到達するように、受信器は便器の後部側に設置しておき、リモコン操作器からは操作信号をいったん天井等の壁面に反射させたうえで、その反射した操作信号を受信器に入光させるという方式を採用している（特許文献１等参照）。
【０００５】
しかし、この方式では、トイレルームの壁面の材質や形状は、操作信号を反射させやすいものに限定されてしまう。つまり、使用者等が操作信号の邪魔になることがないようにして受信性能を確保するために、トイレルームのデザイン性が犠牲になるのである。
【０００６】
これに対し、トイレルームの壁面のデザイン性を確保するために、壁面を経由することなく受信器に対して操作信号を直接入光させる方式を採用した場合には、やはり使用者等が操作信号を遮りやすくなるという問題が生じる。また、受信器を、便器の後部に隠すのではなく露出するように配置する必要があるので、トイレ自体のデザイン性が低下するという問題もある。
【先行技術文献】
【特許文献】
【０００７】
【特許文献１】特開２００６−２４９５号公報
【発明の概要】
【発明が解決しようとする課題】
【０００８】
本発明は上記問題点に鑑みて発明したものであって、トイレルーム壁面の多様なデザイン性を確保しながらも、使用者等が操作信号を遮ることがないように設置でき、しかもトイレ自体のデザイン性も良好に確保することのできるトイレ用リモコン装置を提供することを、課題とする。
【課題を解決するための手段】
【０００９】
上記課題を解決することのできる本発明のトイレ用リモコン装置は、便器５０に設置してある便器側機器３に対して操作信号を発信するリモコン操作器１と、該リモコン操作器１が発信する操作信号を受信するために便器５０側に設置してある受信器２とを具備する。上記便器５０は、ボウル部５１とこれを囲むスカート部５２とを有するものである。上記受信器２は、便器５０が有するスカート部５２の正面５２ａおよび両側面５２ｂに露出するように配置した入光面７と、該入光面７に入光した操作信号を受光素子４にまで導くように配置した導光路６とを備える。
【００１０】
本発明のトイレ用リモコン装置によれば、トイレルームの天井面等に操作信号を一旦反射させずとも、スカート部５２の正面５２ａおよび両側面５２ｂに露出する入光面７に対して、リモコン操作器１からの操作信号を直接入光させ、便器側機器３を遠隔操作することができる。したがって、トイレルームの天井面等の壁面の材質や形状は、操作信号を反射させやすいものに限定されないので、トイレルームの多様なデザイン性が確保される。なお、受信器２の入光面７はスカート部５２の正面５２ａおよび両側面５２ｂに露出させてあるので、使用者がどのような位置や姿勢にある場合であっても入光面７の露出は確保され、操作信号を受信できないという事態は防止される。しかも、入光面７を露出させるために特別な受信部を配置する必要がないため、トイレ自体のデザイン性も良好に確保される。
【００１１】
また、トイレルーム内に取付固定される上記リモコン操作器１には、所定方向にむけて操作信号を発信する発信部１２を回動自在に設けていることが好ましい。このようにすれば、トイレルームのデザインに応じてリモコン操作器１をどのような箇所に取付固定した場合であっても、取付け時に発信部１２を適宜回動させて設定することで、操作信号をスカート部５２に向けて発信させることができる。つまり、トイレルームの多様なデザイン性と、リモコン操作器１の多様な取付形態が確保されることとなる。
【発明の効果】
【００１２】
本発明は、トイレルーム壁面の多様なデザイン性を確保しながらも、使用者等が操作信号を遮ることがないように設置でき、しかもトイレ自体のデザイン性も良好に確保できるという効果を奏する。
【００１３】
さらに、トイレルーム内に取付固定される上記リモコン操作器に、所定方向にむけて操作信号を発信する発信部を回動自在に設けることで、トイレルームの多様なデザイン性と、リモコン操作器の多様な取付形態が確保されるという効果を奏する。
【図面の簡単な説明】
【００１４】
【図１】本発明の実施形態における一例の受信器を備えた便器の斜視図である。
【図２】同上の便器を半割りにした斜視図である。
【図３】同上の便器に備える導光体の分解斜視図である。
【図４】同上の導光体と受光素子の説明図である。
【図５】同上のリモコン操作器の正面図である。
【発明を実施するための形態】
【００１５】
本発明を添付図面に示す実施形態に基づいて説明する。本発明の実施形態における一例のトイレ用リモコン装置は、トイレルーム壁面等の適宜箇所に設置されるリモコン操作器１（図５参照）と、便器５０側に設置される受信器２（図１〜図４参照）とから成る。
【００１６】
以下、まず便器５０側に設置される受信器２について詳述する。図１、図２に示すように、便器５０は、上方に開口したボウル部５１と、該ボウル部５１の前方および両側方を覆うように形成したスカート部５２とを有する腰掛け型のものである。スカート部５２は平面視Ｕ字状に形成したものであって、図２に示すように、ボウル部５１の上面の外周縁から下方に延設させてある。
【００１７】
便器５０の上面には、リモコンの操作対象である便器側機器３として、局部洗浄装置３０を設置している。この局部洗浄装置３０は、便器５０上面のボウル部５１よりも後方の部分に設置される装置本体３１と、該装置本体３１の前方に回動自在に連結される便座（図示せず）と、この便座を覆うように同じく装置本体３１の前方に回動自在に連結される便蓋３２と、装置本体３１から前方に突出自在に設けた洗浄ノズル（図示せず）とを有している。
【００１８】
上記局部洗浄装置３０に対する操作信号を受信するための受信器２は、上記便器５０のスカート部５２に組み込む形で設置してある。受信器２は、装置本体３１の制御部（図示せず）に電気接続される受光素子４と、入光した操作信号を該受光素子４にむけて導く導光体５と備える。
【００１９】
導光体５は、スカート部５２と沿うように平面視Ｕ字状に形成した上リム部５ａと、該上リム部５ａの内周部分から下方へと延設した垂下部５ｂとを有する。この上リム部５ａと垂下部５ｂは縦断面逆Ｌ字状となるように一体形成している。導光体５においては、上リム部５ａの外周面と垂下部５ｂの下端面のみを入出光可能に設け、他の面は内部反射のみを行うように設けている。
【００２０】
つまり、この導光体５の上リム部５ａの外周面が入光面７となり、垂下部５ｂの下端面が出光面８となり、縦断面逆Ｌ字状の導光体５全体が導光路６となるように設けている。垂下部５ｂは、下方にいくほど横断面が漸次小さくなる先細り形状であり、出光面８の面積を入光面７の面積よりも大幅に小さくしている（図３参照）。
【００２１】
スカート部５２には、導光体５の上リム部５ａを挿入固定するための配置孔９を貫設している。配置孔９は、スカート部５２の正面５２ａから両側面５２ｂに亘って伸びる長孔状のものであり、この配置孔９内に導光体５の上リム部５ａを挿入固定した状態で、上リム部５ａの外周面（つまり入光面７）がスカート部５２の外周面と面一になるように設計している。
【００２２】
導光体５は、上リム部５ａを配置孔９に挿入固定することでスカート部５２に固定され、その垂下部５ｂが、スカート部５２とボウル部５１との間のスペースＳに配置される。受光素子４は、垂下部５ｂの下方近傍であって出光面８と上下方向に対向する箇所に、配置される。なお、受光素子４はスカート部５２によって周囲を覆われる位置にある。
【００２３】
次に、トイレルーム壁面等に設置固定されるリモコン操作器１について詳述する。図５に示すように、リモコン操作器１の正面側には、多数の操作スイッチ１０と液晶画面である表示部１１を配置している。図示例では、操作スイッチ１０としてお尻洗浄スイッチ１０ａ、ビデ洗浄スイッチ１０ｂ、停止スイッチ１０ｃ、乾燥スイッチ１０ｄ、洗浄強さの強弱スイッチ１０ｅ、洗浄位置の前後スイッチ１０ｆ等が配置されている。
【００２４】
また、リモコン操作器１の下面には、赤外線信号である操作信号を所定方向にむけて発信する発信部１２を、前後左右の全方向に回動自在に設けている。各発信部１２の向きは、リモコン操作器１を設置してある箇所から便器５０のスカート部５２に向けて操作信号を発信させるように設定する。
【００２５】
上記構成からなる本例のトイレ用リモコン装置によれば、トイレルームの天井面等に操作信号を一旦反射させずとも、スカート部５２の正面５２ａおよび両側面５２ｂに露出する入光面７に対して操作信号を直接的に入光させることができる。入光面７を通じて導光体５内に入光した操作信号は、図４に示すように、断面逆Ｌ字状に形成される導光路６中を反射しながら最下端の出光面８にまで至り、該出光面８からその下方近傍の受光素子４に向けて出光される。操作信号を受信した受光素子４は、その受信を装置本体３１の制御部に伝え、制御部において操作信号に基づく局部洗浄装置３０の各種動作（つまり、お尻洗浄、ビデ洗浄、洗浄停止、乾燥、洗浄強さ変更、洗浄位置変更等の動作）を行う。
【００２６】
ここで、受信器２の入光面７はスカート部５２の正面５２ａから両側面５２ｂに亘る広範な範囲に露出させてあるので、使用者がどのような立ち位置や姿勢にある場合であっても、使用者が邪魔となって操作信号を受信できないという事態が防止される。しかも、この入光面７はスカート部５２の外側面と面一に形成されるため、トイレ自体のデザイン性も良好に確保される。そして、トイレルームの天井面等の壁面の材質や形状については、操作信号を反射させやすいものに限定されることがなく、トイレルームの多様なデザイン性も確保されることになる。
【００２７】
つまり、上記構成から成る本例のトイレ用リモコン装置によれば、トイレルーム壁面の多様なデザイン性を確保しながらも、使用者等が操作信号を遮ることがないように設置でき、しかもトイレ自体のデザイン性も良好に確保することが可能となるのである。
【００２８】
なお、本発明のトイレ用リモコン装置において、トイレルームの天井面等の壁面が操作信号の反射に問題のないものであれば、該壁面に反射したうえで入光面７に入射させるように設定しても構わない。この場合でも、入光面７はスカート部５２の正面５２ａと両側面５２ｂに露出するように配置しているので、使用者がどのような立ち位置や姿勢にある場合であっても、使用者が邪魔となって信号を受信できないといった事態が防止される。
【００２９】
また、入光面７はスカート部５２の正面５２ａから両側面５２ｂにかけて一連の形態に限定されるわけではなく、少なくとも、スカート部５２の正面５２ａと両側面５２ｂに露出する形態であればよい。また、スカート部５２自体を導光体とし、この導光体であるスカート部５２の正面５２ａおよび両側面５２ｂの全部が入光面７となるような形態であってもよい。
【００３０】
以上、本発明を添付図面に示す実施形態に基づいて説明したが、本発明は上記例の実施形態に限定されるものではなく、本発明の意図する範囲内であれば、適宜の設計変更を行うことが可能である。
【符号の説明】
【００３１】
１  リモコン操作器
２  受信器
３  便器側機器
４  受光素子
６  導光路
７  入光面
１２  発信部
５１  ボウル部
５２  スカート部
５２ａ  正面
５２ｂ  側面
【図１】
2011030109.tif 000003
【図２】
2011030109.tif 000004
【図３】
2011030109.tif 000005
【図４】
2011030109.tif 000006
【図５】
2011030109.tif 000007